(57)【要約】【課題】施工後に一枚単位で容易に取り外し得る床材を提供する。【解決手段】床下地２に対して取り外し可能に配設される略矩形平板状の床材１であって、隣り合う側端部１０，１０の各々に、上面側部位を外方側に突出させるように下じゃくり状の実部１１，１１を設け、残余の隣り合う側端部１４，１４の各々に、前記床下地との間に空間を設けるように厚さ方向途中部位から外方側へ突出するように形成され、施工された状態で隣接する床材の前記実部の下面１２，１２に当接される軟質系材料からなる軟質実部１５，１５を設けている。【選択図】図１
2014055412.tif 000002
【特許請求の範囲】
【請求項１】
床下地に対して取り外し可能に配設される略矩形平板状の床材であって、
隣り合う側端部の各々に、上面側部位を外方側に突出させるように下じゃくり状の実部を設け、残余の隣り合う側端部の各々に、前記床下地との間に空間を設けるように厚さ方向途中部位から外方側へ突出するように形成され、施工された状態で隣接する床材の前記実部の下面に当接される軟質系材料からなる軟質実部を設けたことを特徴とする床材。
【請求項２】
請求項１において、
床下地側に配設される床下地面ファスナーと、該床下地面ファスナーに接離自在とされ、前記床材の下面側に設けられた床材面ファスナーと、をさらに備えたことを特徴とする床材。
【発明の詳細な説明】
【技術分野】
【０００１】
本発明は、床下地に対して取り外し可能に配設される床材に関する。
【背景技術】
【０００２】
従来より、床材の四周側面に雄実及び雌実を設け、隣接する床材同士の雄実と雌実とを嵌め合わせて本実接合することで隣接する床材同士を連結可能とした床材が知られている。しかしながら、このような本実結合によって連結された複数枚の床材のうちの一枚の床材を交換や補修等のために取り外す場合には、床材の実部の切断等を行う必要があり、取り外し難いという問題があった。
【０００３】
例えば、下記特許文献１では、隣合う床材同士を接合させるための相じゃくり接合部を周囲四辺に設け、中間に軟質性の合成樹脂等からなる軟質層を設けた化粧床材が開示されている。この化粧床材は、周囲四辺のうち隣合う二辺に、下側を床下地に沿うように側方に突出させた上じゃくり部を設け、残り二辺に、上側を側方に突出させた下じゃくり部を設けた構造とされている。この化粧床材は、隣合う床材間において対応する下じゃくり部と上じゃくり部とが互いに係合された状態で接合されて敷設施工される構造とされている。また、施工後の複数枚の床材のうちから一枚の床材を剥ぎ取る際には、剥ぎ取る床材の縁部にスクレーパー等を差し込んで、その床材をめくり上げるように引っ張ることで床下地から剥ぎ取ることができるものとされている。
【先行技術文献】
【特許文献】
【０００４】
【特許文献１】特開２００７−１９１９１６号公報
【発明の概要】
【発明が解決しようとする課題】
【０００５】
しかしながら、このような化粧床材では、隣接する床材の上じゃくり部の床下地に沿うように側方に突出させた下側部位が、剥ぎ取る床材の下じゃくり部の側方に突出させた上側部位の下方側に位置することとなる。このため、スクレーパー等を、剥ぎ取る床材と隣接する床材との隙間に差し込む際に深く挿入し難く、床材を取り外し難くなることが考えられ、更なる改善が望まれる。
【０００６】
本発明は、上記実情に鑑みてなされたものであり、施工後に一枚単位で容易に取り外し得る床材を提供することを目的とする。
【課題を解決するための手段】
【０００７】
上記目的を達成するために、本発明に係る床材は、床下地に対して取り外し可能に配設される略矩形平板状の床材であって、隣り合う側端部の各々に、上面側部位を外方側に突出させるように下じゃくり状の実部を設け、残余の隣り合う側端部の各々に、前記床下地との間に空間を設けるように厚さ方向途中部位から外方側へ突出するように形成され、施工された状態で隣接する床材の前記実部の下面に当接される軟質系材料からなる軟質実部を設けたことを特徴とする。
【０００８】
本発明においては、床下地側に配設される床下地面ファスナーと、該床下地面ファスナーに接離自在とされ、前記床材の下面側に設けられた床材面ファスナーと、をさらに備えていてもよい。
【発明の効果】
【０００９】
本発明に係る床材は、上述のような構成としたことで、施工後に一枚単位で容易に取り外すことができる。
【図面の簡単な説明】
【００１０】
【図１】（ａ）、（ｂ）は、いずれも本発明の一実施形態に係る床材の一例を模式的に示し、同床材を施工した状態の一例を模式的に示す一部破断概略縦断面図である。
【図２】同床材の一例を模式的に示す概略斜視図である。
【発明を実施するための形態】
【００１１】
以下に本発明の実施の形態について、図面に基づいて説明する。
なお、以下の実施形態では、床材を施工した状態を基準として、上下方向等の方向を原則的に説明する。
図１及び図２は、本実施形態に係る床材の一例を模式的に示す図である。
【００１２】
床材１は、図１及び図２に示すように、略矩形平板状とされている。この床材１は、図２に示すように、平面視略正方形状とされたものとしてもよく、または、例えば、幅寸法が１尺（３０３ｍｍ）程度、長さ寸法が３尺（９０９ｍｍ）〜６尺（１８１８ｍｍ）程度の平面視略長方形状とされたものとしてもよい。また、床材１の厚さ寸法は、例えば、３ｍｍ〜２０ｍｍ程度としてもよい。
【００１３】
この床材１の隣り合う側端部（第１側端部）１０，１０の各々には、上面側部位を外方側に突出させるように下じゃくり状の実部１１，１１が設けられている。
実部１１，１１は、それぞれ第１側端部１０，１０に沿って略全長に亘って設けられている。これら各第１側端部１０，１０に設けられた実部１１，１１は、略同寸同形状とされている。
また、実部１１，１１は、それぞれの上面が床材１の上面の一部を構成するように、実部１１，１１以外の部位の上面と同一平面状となるように、当該床材１の面域方向に突出するように設けられている。
上記のような構成により、当該床材１の第１側端部１０，１０の各実部１１，１１の下面１２，１２側には、下方側かつ外方側に向けて開口するように凹部がそれぞれ設けられている。
なお、この実部１１，１１の厚さ寸法は、当該床材１の厚さ寸法等に応じて、また、強度等の観点から適宜、設定するようにしてもよく、例えば、床材１の厚さ寸法の略１／４〜略２／５程度としてもよい。図例では、実部１１，１１の厚さ寸法を、床材１の厚さ寸法の１／３よりもやや大きい寸法とした例を示している。
【００１４】
また、床材１の残余の隣り合う側端部（第２側端部）１４，１４の各々には、床下地２との間に空間を設けるように厚さ方向途中部位から外方側へ突出するように軟質系材料からなる軟質実部１５，１５が設けられている。
軟質実部１５，１５は、弾力性を有する合成樹脂系材料やエラストマー系材料等からなるものとしてもよく、または、軟質の発泡系材料等からなるものとしてもよい。
【００１５】
また、軟質実部１５，１５は、図１に示すように、それぞれ縦断面視略矩形状とされている。
この軟質実部１５，１５は、それぞれ第２側端部１４，１４に沿って略全長に亘って設けられている。これら各第２側端部１４，１４に設けられた軟質実部１５，１５は、略同寸同形状とされている。
また、本実施形態では、軟質実部１５，１５を、それぞれ第２側端部１４，１４の厚さ方向略中央部から当該床材１の面域方向に突出するように設けている。
このような構成により、軟質実部１５，１５の上方側には、隣接する床材１，１の対応する実部１１，１１を受け入れる空間が形成され、施工された状態では、各上面１６，１６が、隣接する床材１，１の対応する実部１１，１１の下面１２，１２にそれぞれ当接される。
【００１６】
この軟質実部１５，１５の厚さ寸法は、当該床材１の厚さ寸法や、実部１１，１１の厚さ寸法に応じた寸法としてもよく、また、後記するように、床材１を取り外す際における治具３の挿入に伴う変形のし易さや、治具３の挿入性等の観点から、適宜、設定するようにしてもよい。例えば、上記のように、軟質実部１５，１５を第２側端部１４，１４の厚さ方向略中央部にそれぞれ設け、実部１１，１１の厚さ寸法を上記範囲とした場合には、この軟質実部１５，１５の厚さ寸法を、床材１の厚さ寸法の略１／５〜略１／２程度としてもよく、好ましくは、床材１の厚さ寸法の１／３以下としてもよい。図例では、軟質実部１５，１５の厚さ寸法を、それぞれ床材１の厚さ寸法の１／３よりもやや小さい寸法とした例を示している。
【００１７】
また、軟質実部１５，１５の突出寸法（第２側端部１４，１４のそれぞれの軟質実部１５，１５が設けられていない部位の側端面からの突出寸法）は、実部１１，１１の突出寸法（第１側端部１０，１０の上記凹部の床材面域方向外方側に向く面からの突出寸法）に応じた寸法としてもよい。
この軟質実部１５，１５の突出寸法は、実部１１，１１の突出寸法と略同寸法としてもよいが、本実施形態では、軟質実部１５，１５の突出寸法を、実部１１，１１の突出寸法よりも小さくしている。この軟質実部１５，１５の突出寸法は、実部１１，１１の突出寸法の略１／４〜略４／５程度としてもよい。図例では、軟質実部１５，１５の突出寸法を、実部１１，１１の突出寸法の略２／５程度とした例を示している。
また、この軟質実部１５，１５の突出寸法は、後記するように、床材１を取り外す際における治具３の挿入性等の観点から、また、軟質実部１５，１５の厚さ方向位置や厚さ寸法、床材１の厚さ寸法等に応じて、適宜、設定するようにしてもよい。例えば、図１（ｂ）に示すように、隣接する床材１，１間に治具３を挿入して軟質実部１５を床下地２側に向けて変形させ、治具３を傾けて取り外す際に、治具３の先端部が床下地２に当接または近接するような寸法としてもよい。
【００１８】
また、本実施形態では、図１に示すように、床材１の上面側の四周縁部に面取り部を設けている。また、本実施形態では、床材１の下面１７側の四周縁部（第１側端部１０，１０においては、上記凹部の床材面域方向外方側に向く面側の縁部）に面取り部を設けている。図例では、これら面取り部をＣ面取形状としている。このように床材１の上面側の四周縁部に面取り部を設けることで、複数枚の床材１を床下地２に配設した際に、隣接する床材１，１同士の上面側の継目に縦断面視略Ｖ字状の溝が形成される。
【００１９】
なお、上記構成とされた床材１は、軟質実部１５，１５以外の部位が木質系材料や合成樹脂系材料等から形成されたものとしてもよい。例えば、合板の表面にＭＤＦ（中密度繊維板）等の木質繊維板等を積層した基材の表面に突板や化粧樹脂シート（フィルム）等の表面化粧材を積層した積層構造とされたものとしてもよく、無垢の木材や集成材等から形成されたものとしてもよい。また、表面化粧材に代えて、塗装等によって表面化粧処理が施されたものとしてもよい。また、木質系材料や合成樹脂系材料から上記基材を形成する態様に代えて、合成樹脂系材料に、木粉や無機フィラー、相溶化剤、着色剤などを所定の含有割合で含有させた木粉・プラスチック複合材（ＷＰＣ）から上記基材を形成するようにしてもよい。
【００２０】
また、上記構成とされた軟質実部１５，１５は、接着剤等によって上記基材の側端面に固定することで、第２側端部１４，１４に設けるようにしてもよい。または、床材１の厚さ方向途中部位に床材１の面域方向の略全域に亘るように、かつ第２側端部１４，１４の各々において外方側へ突出するように軟質系材料からなる略矩形平板状の軟質板部を設け、その突出部位を、軟質実部１５，１５としてもよい。
さらには、上記したように、軟質実部１５，１５以外の部位を、合成樹脂系材料や、木粉・プラスチック複合材（ＷＰＣ）から形成されたものとした場合には、軟質実部１５，１５と軟質実部１５，１５以外の部位とを異材質成形（二色成形）等によって一体的に形成したものとしてもよい。
【００２１】
また、本実施形態では、床材１は、図１に示すように、床下地２側に配設される床下地面ファスナー１９と、床下地面ファスナー１９に接離自在とされ、床材１の下面１７側に設けられた床材面ファスナー１８と、をさらに備えている。
これら床材面ファスナー１８及び床下地面ファスナー１９は、それぞれ薄シート状とされ、これらの互いに向き合う面側には、接離自在に互いに係合する係合部が設けられている。
床材面ファスナー１８は、床材１の下面１７に接着剤や粘着材等によって固定されるものとしてもよい。また、床下地面ファスナー１９は、薄シート状とされ、床下地２に接着剤や粘着材等によって固定されるものとしてもよい。図例では、床材１の下面１７に、複数枚の床材面ファスナー１８を設けた例を示している。また、これら床材面ファスナー１８を、床材１の互いに対向する一方の対向端部の対向方向に沿って互いに間隔を空けて、かつ他方の対向端部の対向方向に沿って延びるように設けた例を示している。なお、このような態様に代えて、床材１の下面１７の略全面に亘って床材面ファスナー１８を設けるようにしたり、床材１の下面１７の四隅部や中央部等に、点在的に床材面ファスナー１８を設けるようにしたりしてもよい。また、床下地面ファスナー１９は、床材面ファスナー１８に応じたものとすればよい。
【００２２】
これら床下地面ファスナー１９と床材面ファスナー１８とは、互いを接合させたり、引き離したりすることができる。そのため、これら床下地面ファスナー１９及び床材面ファスナー１８を設けることで、床材１を、床下地２に対して取り外し可能に配設することができる。
なお、これら床材面ファスナー１８及び床下地面ファスナー１９の係合部としては、一方側を多数の鈎状のフックとし、他方側を多数のループとしたものとしてもよく、これらを組み合わせたものをそれぞれに設けるようにしてもよい。または、係合部を多数のマッシュルーム状（茸状）の突起としてもよく、その他、種々の係合部の採用が可能である。
【００２３】
上記構成とされた床材１は、複数枚が床下地２上に縦横に並べるように配設される。
床材１を施工する際には、まず、床下地面ファスナー１９を、床材１の下面１７に予め固定された床材面ファスナー１８に応じた位置となるように床下地２上に配設する。なお、床材面ファスナー１８は、施工現場等において床材１の下面１７に固定されるものとしてもよい。
次いで、床材１の下面１７の床材面ファスナー１８を、床下地面ファスナー１９に接合させ、床材１を床下地２に配設する。
また、この際、既に施工した床材１の第２側端部１４，１４のそれぞれの軟質実部１５，１５の上面１６，１６に、他の床材１の第１側端部１０，１０の実部１１，１１のそれぞれの下面１２，１２を当接させるように、他の床材１を床下地２に配設する。このようにして、隣り合う床材１，１の実部１１，１１及び軟質実部１５，１５を係合させ、縦横に並べるように床下地２に配設する。
なお、床材１を施工する際には、図１に示すように、隣接する床材１，１の実部１１，１１のそれぞれの突出方向先端面と第２側端部１４，１４の軟質実部１５，１５上方側のそれぞれの側端面との間に僅かな隙間を設けるように配設してもよい。または、隣接する床材１，１の実部１１，１１のそれぞれの突出方向先端面と第２側端部１４，１４の軟質実部１５，１５上方側のそれぞれの側端面とを当接させるように配設してもよい。
【００２４】
上記のように床下地２上に配設された複数枚の床材１のうち一枚の床材１を、交換や補修等のために取り外す際には、図１（ａ）に示すように、取り外す床材１と隣接する床材１との間に治具３を挿入して取り外すようにしてもよい。このような治具３としては、例えば、先端部に薄型のヘラ状部位を設けたスクレーパー状の治具３を用いるようにしてもよい。
このような治具３を用いて取り外す際には、取り外す床材１と隣接する床材１との間に治具３を挿入し、取り外す床材１の一方の実部１１の下方側に位置する隣接する床材１の一方の軟質実部１５を下方側に押し込むように変形させ、挿入した治具３を傾けることで取り外す床材１の一方の実部１１を上方側に押し上げて、床材１を取り外すようにしてもよい（図１（ｂ）も参照）。また、この際、取り外す床材１の実部１１，１１の両方に隣接する床材１，１との間に治具３をそれぞれ挿入して取り外すようにしてもよい。
【００２５】
また、このように床材１を取り外した後のスペースに、交換用の床材１や補修後の床材１を施工する際には、床材１の第２側端部１４，１４の軟質実部１５，１５を、それぞれ変形させ、隣接する床材１，１の実部１１，１１の下方側に潜り込ませるように嵌め入れ、当該床材１の第１側端部１０，１０の実部１１，１１を、それぞれ隣接する床材１，１の軟質実部１５，１５の上方側に載置するようにして床材１を施工してもよい。
【００２６】
上記構成とされた本実施形態に係る床材１によれば、施工後に一枚単位で容易に取り外すことができる。
つまり、隣り合う側端部（第１側端部）１０，１０の各々に下じゃくり状の実部１１，１１を設け、残余の隣り合う側端部（第２側端部）１４，１４の各々に、床下地２との間に空間を設けるように、厚さ方向途中部位から外方側へ突出するように軟質系材料からなる軟質実部１５，１５を設けている。従って、上記のように床材１を施工した状態では、軟質実部１５，１５と床下地２との間に空間が形成される。これにより、上記したように、交換や補修等のために治具３により床材１を取り外す際に、治具３を隣接する床材１の軟質実部１５に当接させ、軟質実部１５を下方側に押し込むように変形させることができ、治具を深く挿入することができる。また、このように深く挿入した治具３を傾けるようにして取り外す床材１の実部１１を上方側に押し上げて床材１を取り外すことができ、床材１を一枚単位で容易に取り外すことができる。
また、このように床材１を取り外した後のスペースに、交換用の床材１や補修後の床材１を施工する際にも、軟質実部１５，１５が変形し易いため、上記したように、容易に床材１を施工することができる。
また、軟質実部１５，１５は、施工された状態で隣接する床材１，１の実部１１，１１の下面１２，１２に当接される構造とされている。従って、この軟質実部１５，１５によって、隣接する床材１，１の上面側部位間に隙間が生じているような場合にも、該隙間を目立ち難くすることができる。また、放湿等により床材１が面域方向に収縮し、上記のような隙間が生じた場合にも、目立ち難くすることができる。
【００２７】
また、本実施形態では、床材１は、床下地面ファスナー１９及び床材面ファスナー１８をさらに備えている。従って、床材１を床下地２に容易に取り付けたり、床材１を床下地２から容易に取り外したりすることができる。
また、本実施形態では、床材１の上面側の四周縁部に面取り部を設けているので、取り外す床材１と隣接する床材１との間に治具３を挿入して床材１を取り外す際に、挿入した治具３を傾け易くすることができる。
【００２８】
なお、本実施形態では、床下地面ファスナー１９及び床材面ファスナー１８を用いて、床材１を床下地２に取り外し可能に配設した例を示しているが、この態様に限定されない。例えば、床材１を、剥離自在とされた接着剤や粘着材等を用いて床下地２に取り外し可能に配設するようにしてもよい。このような剥離自在とされた接着剤としては、接合強度が比較的に弱い接着剤等を採用するようにしてもよく、または、加温することで軟化する熱可塑性接着剤や、加温や吸湿により体積膨張するマイクロカプセルや吸水剤等を混入した接着剤等を採用するようにしてもよい。
【符号の説明】
【００２９】
１                床材
１０              第１側端部（側端部）
１１              実部
１２              下面
１４              第２側端部（側端部）
１５              軟質実部
１７              下面
１８              床材面ファスナー
１９              床下地面ファスナー
２                床下地
【図１】
2014055412.tif 000003
【図２】
2014055412.tif 000004